(57)【要約】【課題】織物のシミ付着部分をメッシュ３上に配置するとき、スプレーガン１７によってその作業が阻害されないようにする。【解決手段】支持部材１８によってスプレーガンが支持され、スプレーガンはメッシュおよび吸引口２に対向する。支持部材は垂直部材からなり、昇降ガイド１９がスプレーガンと垂直部材間に設けられ、スプレーガンは昇降ガイドに案内され、垂直部材に沿って昇降可能である。さらに、昇降操作部材２７がスプレーガンと垂直部材間に設けられ、昇降操作部材によってスプレーガンを昇降させることができる。【選択図】図１
2004097664.tif 000002
【特許請求の範囲】
【請求項１】
メッシュテーブルが吸引口と組み合わされ、前記メッシュテーブルはメッシュで被覆された開口を有し、水平方向にのび、前記吸引口は上向きのもので、前記メッシュテーブルの下方に配置され、前記メッシュに対向し、真空ポンプなどの真空源に接続されており、前記メッシュテーブルと前記吸引口を相対的に水平移動させることができ、洗浄液スプレーガンが前記メッシュテーブルの上方に配置され、支持部材によって前記スプレーガンが支持されており、前記スプレーガンは前記メッシュおよび前記吸引口に対向し、前記支持部材は前記吸引口に連結されている織物洗浄装置であって、前記支持部材は垂直部材からなり、昇降ガイドが前記スプレーガンと前記垂直部材間に設けられ、前記スプレーガンは前記昇降ガイドに案内され、前記垂直部材に沿って昇降可能であり、さらに、昇降操作部材が前記スプレーガンと前記垂直部材間に設けられており、前記昇降操作部材によって前記スプレーガンを昇降させるようにしたことを特徴とする織物洗浄装置。
【請求項２】
メッシュテーブルが吸引口と組み合わされ、前記メッシュテーブルはメッシュで被覆された開口を有し、水平方向にのび、前記吸引口は上向きのもので、前記メッシュテーブルの下方に配置され、前記メッシュに対向し、真空ポンプなどの真空源に接続されており、前記メッシュテーブルと前記吸引口を相対的に水平移動させることができ、洗浄液スプレーガンが前記メッシュテーブルの上方に配置され、支持部材によって前記スプレーガンが支持されており、前記スプレーガンは前記メッシュおよび前記吸引口に対向し、前記支持部材は前記吸引口に連結されている織物洗浄装置であって、前記支持部材は垂直軸からなり、旋回ガイドが前記スプレーガンと前記垂直軸間に設けられ、前記スプレーガンは前記旋回ガイドに案内され、前記垂直軸のまわりを旋回可能であり、さらに、角度位置確認手段が前記スプレーガンと前記垂直軸間に設けられており、前記スプレーガンの旋回後、前記スプレーガンがもとの角度位置に戻され、前記吸引口に対向したとき、前記角度位置確認手段によってそれを確認するようにしたことを特徴とする織物洗浄装置。
【発明の詳細な説明】
【０００１】
【産業上の利用分野】
この発明は、シミが付着した呉服などの織物を洗浄する織物洗浄装置に関するものである。
【０００２】
【従来技術とその問題点】
この出願に先立ち、出願人は特別の構成の織物洗浄装置を開発し、提案した。特開２０００−１５７７８５号公報（特許文献１）に記載されているものがそれである。同公報の装置では、メッシュテーブルが吸引口と組み合わされる。メッシュテーブルはメッシュで被覆された開口を有し、水平方向にのび、吸引口は上向きのもので、メッシュテーブルの下方に配置され、メッシュテーブルのメッシュに対向し、真空ポンプなどの真空源に接続される。したがって、織物のシミ付着部分をメッシュ上に配置し、薬品でシミの成分を溶解処理し、その後、洗浄液スプレーガンで洗浄液を噴霧し、これを織物のシミ付着部分に付与し、真空源によって吸引口を真空排気すると、洗浄後、シミの成分および薬品を吸引口に吸引することができ、織物のシミ付着部分を完全に洗浄することができる。
【０００３】
さらに、同公報の装置の場合、真空源によって吸引口を真空排気すると、織物のシミ付着部分がメッシュテーブルのメッシュに吸着されるが、織物のシミ付着部分が吸引口よりも大きいとき、シミ付着部分をメッシュテーブルのメッシュに沿って変位させる必要はない。シミ付着部分をメッシュテーブルのメッシュに沿って変位させなくても、メッシュテーブルと吸引口を相対的に水平移動させることができ、シミ付着部分全体において、シミの成分および薬品を吸引口に吸引し、シミ付着部分を容易に洗浄することができる。さらに、同公報の装置では、洗浄液スプレーガンがメッシュテーブルの上方に配置され、支持部材によってスプレーガンが支持され、スプレーガンはメッシュおよび吸引口に対向する。したがって、吸引口がメッシュに隠れ、メッシュの上方から吸引口を見ることはできなくても、吸引口に対向する位置において、スプレーガンで洗浄液を噴霧し、シミ付着部分を効果的に洗浄することができる。さらに、支持部材は吸引口に連結される。したがって、メッシュテーブルと吸引口を相対的に水平移動させても、それに関係なく、スプレーガンは吸引口に対向し、その状態に保たれる。
【０００４】
しかしながら、作業性については、同公報の装置は必ずしも好ましくない。スプレーガンがメッシュテーブルの上方に配置され、支持部材によってそれが支持されている関係上、特に、厚い織物や大きい織物の場合、織物のシミ付着部分をメッシュ上に配置するとき、スプレーガンによってその作業が阻害されるきらいがある。これが同公報の装置に残された問題点である。したがって、同公報の装置の性能を損なわず、その作業性を高めることが強く要望されている。
【０００５】
【特許文献１】
特開２０００−１５７７８５号公報
【０００６】
【発明の目的】
したがって、この発明は、特開２０００−１５７７８５号公報の装置を改良し、織物のシミ付着部分をメッシュ上に配置するとき、スプレーガンによってその作業が阻害されないようにすることを目的としてなされたものである。
【０００７】
【発明の構成】
この出願にかかる発明は２つの発明であるが、メッシュテーブルが吸引口と組み合わされることは各発明に共通であり、特開２０００−１５７７８５号公報のものと同様である。メッシュテーブルはメッシュで被覆された開口を有し、水平方向にのび、吸引口は上向きのもので、メッシュテーブルの下方に配置され、メッシュテーブルのメッシュに対向し、真空ポンプなどの真空源に接続される。そして、メッシュテーブルと吸引口を相対的に水平移動させることができる。洗浄液スプレーガンがメッシュテーブルの上方に配置され、支持部材によってスプレーガンが支持され、スプレーガンはメッシュおよび吸引口に対向し、支持部材は吸引口に連結されることも同公報のものと同様である。
【０００８】
さらに、２つの発明のうち、第１発明によれば、支持部材は垂直部材からなり、昇降ガイドがスプレーガンと垂直部材間に設けられ、スプレーガンは昇降ガイドに案内され、垂直部材に沿って昇降可能である。さらに、昇降操作部材がスプレーガンと垂直部材間に設けられ、昇降操作部材によってスプレーガンを昇降させることができる。
【０００９】
一方、第２発明によれば、支持部材は垂直軸からなり、旋回ガイドがスプレーガンと垂直軸間に設けられ、スプレーガンは旋回ガイドに案内され、垂直軸のまわりを旋回可能である。さらに、角度位置確認手段がスプレーガンと垂直軸間に設けられ、スプレーガンの旋回後、スプレーガンがもとの角度位置に戻され、吸引口に対向したとき、角度位置確認手段によってそれが確認される。
【００１０】
【実施例の説明】
以下、この発明の実施例を説明する。
【００１１】
図１はこの発明にかかる装置を示す。この装置はシミが付着した呉服などの織物を洗浄する織物洗浄装置であり、メッシュテーブル１および吸引口２を有する。メッシュテーブル１はメッシュ３で被覆された開口を有し、水平方向にのびる。吸引口２は上向きのもので、吸引ヘッド４の一端に設けられ、その内孔５に連通しており、メッシュテーブル１の下方に配置され、メッシュテーブル１のメッシュ３に対向する。この実施例では、フランジ６が吸引口２にはめ込まれ、吸引口２およびフランジ６がメッシュテーブル１のメッシュ３に対向する。吸引ヘッド４はメッシュテーブル１に平行にのび、その他端は連結部材７に固定され、支持されている。さらに、吸引管８がそれと組み合わされ、吸引管８は剛性をもち、上下方向にのび、連結部材７は吸引管８の上端に固定されている。さらに、吸引ヘッド４の他端において、その内孔５が吸引管８に接続され、吸引管８の下端がフレキシブルホースに接続されており、フレキシブルホースは真空ポンプなどの真空源に接続されている。したがって、吸引口２が吸引管８および真空源に接続されているものである。
【００１２】
さらに、この装置では、メッシュテーブル１と吸引口２を相対的に水平移動させることができる。この実施例では、一対のレール９が吸引ヘッド４の両側面に形成されており、下向きのチャンネル板１０がそれと組み合わされ、チャンネル板１０は複数のローラ１１を有し、ローラ１１は吸引ヘッド４のレール９に係合する。レール９は吸引ヘッド４に平行にのび、ローラ１１はレール９に沿って転動することができる。さらに、一対のニードルベアリング１２がチャンネル板１０の上面に設けられ、その収容みぞ１３にはめ込まれ、メッシュテーブル１はチャンネル板１０のニードルベアリング１２に係合し、支持される。さらに、一対のスロット１４がチャンネル板１０の上面に形成されており、各スロット１４において、それぞれローラ１５が挿入され、一対のビス１６がそれと組み合わされ、各ビス１６がメッシュテーブル１およびローラ１５を貫通し、ビス１６によってメッシュテーブル１とローラ１５が連結される。ニードルベアリング１２は吸引ヘッド４に直角の方向に配置され、スロット１４は吸引ヘッド４に直角の方向にのびる。したがって、吸引ヘッド４に平行の方向において、ローラ１１およびレール９によってチャンネル板１０およびメッシュテーブル１を案内し、移動させることができ、吸引ヘッド４に直角の方向において、ニードルベアリング１２、ローラ１５および収容みぞ１４によってメッシュテーブル１を案内し、移動させることもできる。その方向は水平方向である。したがって、メッシュテーブル１と吸引口２を相対的に水平移動させることができるものである。
【００１３】
さらに、洗浄液スプレーガン１７がメッシュテーブル１の上方に配置され、支持部材１８によってスプレーガン１７が支持されており、スプレーガン１７はメッシュ３および吸引口２に対向し、支持部材１８は吸引口２に連結されている。この実施例では、支持部材１８に支軸が使用され、スリーブ１９が支軸１８にはめ合わされており、支軸１８は垂直方向にのびる。さらに、アダプタ２０がスリーブ１９に固定され、Ｕボルト２１によって取り付け管２２とアダプタ２０が連結されており、取り付け管２２の一端において、スプレーガン１７のベース１６ａが取り付け管２２にはめ込まれ、フランジ２３によってそれが取り付けられている。さらに、図２に示すように、ねじ棒２４が支軸１８にねじ合わされ、ストッパ２５がねじ棒２４に設けられ、金具２６がストッパ２５に係合し、スリーブ１９に固定され、ねじ棒２４、ストッパ２５および金具２６によってスリーブ１９が吊られ、支持されている。したがって、スプレーガン１７がメッシュテーブル１の上方に配置され、支軸１８、スリーブ１９、アダプタ２０および取り付け管２２によってスプレーガン１７が支持されているものであり、スプレーガン１７はメッシュ３および吸引口２に対向する。さらに、連結部材７としてチャンネル状のものが使用され、連結部材７は吸引ヘッド４に直角の方向にのび、支軸１８は連結部材７の先端に取り付けられ、固定されている。したがって、連結部材７によって支軸１８と吸引口２が連結されているものである。
【００１４】
さらに、この実施例では、支持部材１８に支軸が使用されているが、支軸１８は垂直方向にのびる。したがって、支持部材１８は垂直部材からなるものである。さらに、スリーブ１９によって昇降ガイドが構成されており、スリーブ１９は垂直部材１８に沿って昇降可能である。したがって、昇降ガイド１９がスプレーガン１７と垂直部材１８間に設けられているものであり、スプレーガン１７は昇降ガイド１９に案内され、垂直部材１８に沿って昇降可能である。さらに、昇降操作部材によってスプレーガン１７を昇降させることができる。この実施例では、昇降操作部材にハンドル２７が使用され、ハンドル２７がねじ棒２４に設けられており、ハンドル２７によってねじ棒２４を回転させ、ストッパ２５および金具２６によってスリーブ１９、アダプタ２０および取り付け管２２を昇降させることができ、スプレーガン１７を昇降させることができる。
【００１５】
さらに、支軸１８は垂直軸であり、支持部材１８は垂直軸からなる。さらに、スリーブ１９によって旋回ガイドが構成され、スリーブ１９は垂直軸１８のまわりを旋回可能であり、金具２６はストッパ２５に係合し、スリーブ１９と一体的に旋回する。したがって、旋回ガイド１９がスプレーガン１７と垂直軸１８間に設けられているものであり、スプレーガン１７は旋回ガイド１９に案内され、垂直軸１８のまわりを旋回可能である。さらに、角度位置確認手段がスプレーガン１７と垂直軸１８間に設けられており、スプレーガン１７の旋回後、スプレーガン１７がもとの角度位置に戻され、吸引口２に対向したとき、角度位置確認手段によってそれを確認することができる。この実施例では、図３に示すように、角度位置確認手段にボール２８とくぼみ２９が使用され、ボール２８はスリーブ１９の半径方向みぞに収容され、くぼみ２９は支軸１８の外周面に形成されている。さらに、ロックノブ３０がスリーブ１９にねじ合わされ、スプリング３１に係合し、スプリング３１がボール２８に係合し、スプリング３１によってボール２８が弾性付勢され、これがくぼみ２９にはめ込まれている。したがって、スプレーガン１７およびスリーブ１９を垂直軸１８のまわりに旋回させると、スリーブ１９によってボール２８が押され、ボール２８は垂直軸１８のくぼみ２９から脱落し、スリーブ１９の半径方向みぞに後退する。そして、その状態でスプレーガン１７およびスリーブ１９が旋回するものである。その後、スプレーガン１７がもとの角度位置に戻されると、スプリング３１がボール２８に作用し、ボール２８がくぼみ２９にはめ込まれる。したがって、スプレーガン１７がもとの角度位置に戻され、吸引口２に対向したとき、ボール２８とくぼみ２９によってそれを確認することができる。ボール２８がくぼみ２９にはめ込まれているとき、ロックノブ３０によってスプリング３１およびボール２８を締め付け、スリーブ１９を旋回しないようロックすることもできる。
【００１６】
この装置の場合、上向きの吸引口２がメッシュテーブル１の下方に配置され、メッシュテーブル１のメッシュ３に対向し、真空ポンプなどの真空源に接続されていることは前述したとおりである。したがって、織物のシミ付着部分をメッシュ３上に配置し、薬品でシミの付着部分を溶解処理し、その後、洗浄液スプレーガン１７で洗浄液を噴霧し、これを織物のシミ付着部分に付与し、真空源によって吸引口２を真空排気すると、洗浄後、シミの成分および薬品を吸引口２に吸引することができ、織物のシミ付着部分を完全に洗浄することができる。
【００１７】
さらに、この装置の場合、真空源によって吸引口２を真空排気すると、織物のシミ付着部分がメッシュテーブル１のメッシュ３に吸着されるが、織物のシミ付着部分が吸引口２よりも大きいとき、シミ付着部分をメッシュテーブル１のメッシュ３に沿って変位させる必要はない。シミ付着部分をメッシュテーブル１のメッシュ３に沿って変位させなくても、メッシュテーブル１と吸引口２を相対的に水平移動させることができ、シミ付着部分全体において、シミの成分および薬品を吸引口２に吸引し、シミ付着部分を容易に洗浄することができる。洗浄液スプレーガン１７がメッシュテーブル１の上方に配置され、支持部材１８によってスプレーガン１７が支持され、スプレーガン１７はメッシュ３および吸引口２に対向することも前述したとおりである。したがって、吸引口２がメッシュ３に隠れ、メッシュ３の上方から吸引口２を見ることはできなくても、吸引口２に対向する位置において、スプレーガン１７で洗浄液を噴霧し、シミ付着部分を効果的に洗浄することができる。さらに、支持部材１８は吸引口２に連結されていることも前述したとおりである。したがって、メッシュテーブル１と吸引口２を相対的に水平移動させても、それに関係なく、スプレーガン１７は吸引口２に対向し、その状態に保たれる。
【００１８】
しかも、この装置の場合、ハンドル２７、ねじ棒２４、ストッパ２５および金具２６によってスリーブ１９、アダプタ２０および取り付け管２２を昇降させ、スプレーガン１７を昇降させることができる。したがって、織物のシミ付着部分をメッシュ３上に配置するとき、スプレーガン１７を一旦上昇させ、メッシュ３から遠ざけることができる。その後、織物のシミ付着部分をメッシュ３上に配置することができ、スプレーガン１７によってその作業が阻害されることはない。したがって、厚い織物や大きい織物であっても、そのシミ付着部分を容易に配置することができる。その後、スプレーガン１７をもとの高さ位置まで下降させ、スプレーガン１７で洗浄液を噴霧し、これを織物のシミ付着部分に付与することができる。
【００１９】
スプレーガン１７およびスリーブ１９を垂直軸１８のまわりに旋回させることもできる。したがって、織物のシミ付着部分をメッシュ３上に配置するとき、スプレーガン１７を一旦旋回させ、メッシュ３から遠ざけることができる。その後、織物のシミ付着部分をメッシュ３上に配置することができ、スプレーガン１７によってその作業が阻害されることはない。したがって、厚い織物や大きい織物であっても、そのシミ付着部分を容易に配置することができる。その後、スプレーガン１７をもとの角度位置に戻し、スプレーガン１７で洗浄液を噴霧し、これを織物のシミ付着部分に付与することができる。さらに、スプレーガン１７をもとの角度位置に戻し、吸引口２に対向させると、スプリング３１がボール２８に作用し、ボール２８がくぼみ２９にはめ込まれる。したがって、スプレーガン１７がもとの角度位置に戻され、吸引口２に対向したとき、ボール２８とくぼみ２９によってそれを確認することもできる。
【００２０】
さらに、この装置の場合、ハンドル２７によってスプレーガン１７を昇降させ、その高さ位置を調節することもできる。したがって、たとえば、比較的薄い織物の場合、スプレーガン１７を適宜上昇させ、織物から後退させ、その状態で洗浄液を噴霧し、これを織物のシミ付着部分に付与することができ、洗浄液を低い圧力で付与し、シミ付着部分を的確に洗浄することができる。反対に、比較的厚い織物の場合、スプレーガン１７を適宜下降させ、織物に向かって前進させ、その状態で洗浄液を噴霧し、これを織物のシミ付着部分に付与することができ、洗浄液を高い圧力で付与し、シミ付着部分を的確に洗浄することができる。
【００２１】
スプレーガン１７を取り付け管２２から取り外し、種類の異なるものと交換することもできる。Ｕボルト２１を一旦ゆるめ、スプレーガン１７および取り付け管２２を取り付け管２２の軸心のまわりに回転させ、スプレーガン１７の種類によってその角度を調節することもできる。
【００２２】
【発明の効果】
以上説明したように、この発明によれば、織物のシミ付着部分をメッシュ上に配置するとき、スプレーガンによってその作業が阻害されず、厚い織物や大きい織物であっても、そのシミ付着部分を容易に配置することができ、所期の目的を達成することができるものである。
【図面の簡単な説明】
【図１】この発明の実施例を示す分解斜視図である。
【図２】図１の装置のスリーブとねじ棒の関係を示す側面図である。
【図３】図１の装置のスリーブの横断面図である。
【符号の説明】
１　メッシュテーブル
２　吸引口
３　メッシュ
７　連結部材
９　レール
１０　チャンネル板
１１　ローラ
１２　ニードルベアリング
１４　スロット
１５　ローラ
１７　スプレーガン
１８　支軸
１９　スリーブ
２４　ねじ棒
２７　ハンドル
２８　ボール
２９　くぼみ
３１　スプリング
【図１】
2004097664.tif 000003
【図２】
2004097664.tif 000004
【図３】
2004097664.tif 000005